(57)【特許請求の範囲】
【請求項１】
複数のＮ個の非同期データストリームからフレーミング情報を除去することによりアンフレーミングを実行するための、及び、非同期データストリームを同期化するための少なくとも１つのモジュールと、
同期したデータストリームの再フレーミングのための、及び、前記同期したデータストリームをエンコードしたストリーム情報でタギングするための少なくとも１つのモジュールと、
前記タギングした同期したデータストリームの光受信器への伝送に先立ち、前記タギングした同期したデータストリームを２Ｎレベルで光変調することができる高次変調器と、
を具備する光伝送システム。
【請求項２】
前記少なくとも１つの再フレーミング及びタギングモジュールから前記同期したデータストリームを受信するための差動エンコーダをさらに具備し、該差動エンコーダは、前記高次変調器が前記２Ｎレベルで光変調することに先立ち、前記同期したデータストリームに関する信号の位相と振幅のうちの少なくとも１つをエンコードするための動作が可能であることを特徴とする請求項１に記載の光伝送システム。
【請求項３】
前記タギングした同期したデータストリームの偏光多重化、副搬送波多重化、及び時分割多重化のうちの少なくとも１つを行うマルチプレクサをさらに具備することを特徴とする請求項１に記載の光伝送システム。
【請求項４】
前記少なくとも１つのアンフレーミング及び同期化モジュールは、第１のセットの前記非同期データストリームを操作して第１のセットの同期データストリームを作るための、第１のセットのアンフレーミングモジュール及び同期化モジュールと、第２のセットの前記非同期データストリームを操作して第２のセットの同期データストリームを作るための、第２のセットのアンフレーミングモジュール及び同期化モジュールとを具備し、
前記少なくとも１つの再フレーミング及びタギングモジュールは、前記第１のセットの同期データストリームのうちの対応するものを操作して第１のセットの前記タギングした同期データストリームを作るための、第１のセットの再フレーミングモジュール及びタギングモジュールと、前記第２のセットの同期したデータストリームのうちの対応するものを操作して第２のセットのタギングした同期データストリームを作るための、第２のセットの再フレーミングモジュール及びタギングモジュールとを具備し、
前記高次変調器は、前記第１のセットの前記タギングした同期したデータストリームに前記２Ｎレベルの光変調を行うことにより第１の光変調した信号を作るための第１の高次変調器と、前記第２のセットの前記タギングした同期したデータストリームに前記２Ｎレベルの光変調を行うことにより第２の光変調した信号を作るための第２の高次変調器とを具備し、
前記マルチプレクサは、前記第１の光変調した信号及び前記第２の光変調した信号を受信し、前記偏光多重化を行い、前記光受信器への伝送に先立って単一の多重化した光信号を生成する操作が可能である、
ことを特徴とする請求項３に記載の光伝送システム。
【請求項５】
前記少なくとも１つのアンフレーミング及び同期化モジュールは、第１のセットの前記非同期データストリームを操作して第１のセットの同期データストリーム作るための第１のセットのアンフレーミングモジュール及び同期化モジュールと、第２のセットの前記非同期データストリームを操作して第２のセットの同期データストリーム作るための第２のセットのアンフレーミングモジュール及び同期化モジュールとを具備し、
前記少なくとも１つの再フレーミング及びタギングモジュールは、第１のセットの同期データストリームのうちの対応するものを操作して、第１のセットの前記タギングした同期データストリームを作るための、第１のセットの再フレーミングモジュール及びタギングモジュールと、前記第２のセットの同期したデータストリームのうちの対応するものを操作して、第２のセットの前記タギングした同期したデータストリームを作るための、第２のセットの再フレーミングモジュール及びタギングモジュールとを具備し、
高次変調器は、前記第１のセットの前記タギングした同期したデータストリームに前記２Ｎレベルの光変調を行って第１の光変調した信号を作る第１の高次変調器と、前記第２のセットの前記タギングした同期したデータストリームに前記２Ｎレベルの光変調を行って第２の光変調した信号を作る第２の高次変調器とを具備し、
前記マルチプレクサは、前記第１の光変調した信号と前記第２の光変調した信号とを受け取り、前記副搬送波多重化を行って、前記光受信器への伝送に先立って単一の多重化した光信号を生成する操作が可能である、
ことを特徴とする請求項３に記載の光伝送システム。
【請求項６】
前記少なくとも１つのアンフレーミング及び同期化モジュールは、複数のアンフレーミングモジュール及び同期化モジュールを具備し、前記複数のアンフレーミングモジュール及び前記同期化モジュールの各々は、対応するセットの前記非同期データストリームを操作して、対応するセットの同期データストリーム作るよう構成され、
前記少なくとも１つの再フレーミング及びタギングモジュールは、複数の再フレーミングモジュール及びタギングモジュールを具備し、前記複数の再フレーミングモジュール及びタギングモジュールの各々は、前記同期データストリームのうちの対応する１つを操作して対応するタギングした同期データストリームを作るよう構成され、
前記マルチプレクサは、複数の時分割マルチプレクサを具備し、前記時分割マルチプレクサの各々は、前記タギングした同期データストリームのセットを多重化し、時分割多重化信号を生成し、
前記高次変調器は、前記複数の時分割マルチプレクサから前記時分割多重化信号を受け取り、前記２Ｎレベルの光変調を行うことが可能である、
ことを特徴とする請求項３に記載の光伝送システム。
【請求項７】
前記少なくとも１つのモジュールが前記非同期データストリームにアンフレーミング及び同期化を行うことに先立ち、前記Ｎ個の非同期データストリームを変換して、光信号から電気信号に変換する複数の光電変換器をさらに具備することを特徴とする請求項１に記載の光伝送システム。
【請求項８】
前記光受信器への伝送に先立ち、１以上の他の光信号を持つ前記高次変調器からの信号を多重化するための波長分割マルチプレクサをさらに具備することを特徴とする請求項１に記載の光伝送システム。
【請求項９】
前記高次変調器は、位相シフトキーイング又は矩形振幅変調を用いて前記２Ｎレベルの光変調を行うことが可能であることを特徴とする請求項１に記載の光伝送システム。
【請求項１０】
複数のＮ個の非同期データストリームを受信するステップと、
前記複数のＮ個の非同期データストリームの各々にアンフレーミングを行うステップと、
前記複数のＮ個の非同期データストリームを同期化するステップと、
前記データストリームの１以上の特定の１つを特定するためのタグを有する構造化された伝送フレームに前記データをマッピングするために前記同期したデータストリームをエンコードしたストリーム情報で再フレーミング及びタギングするステップと、
前記再フレーミングしタギングし同期したデータストリームに２Ｎレベルの光変調を行い、光受信器に伝送するよう構成した高次変調信号を作るステップと、
を具備するデータの光伝送方法。
【請求項１１】
前記２Ｎレベルの光変調を行う前に、前記同期したデータストリームに結び付けて信号の位相及び振幅のうちの少なくとも１つで、前記同期したデータストリームに差動エンコーディングを行うステップをさらに具備することを特徴とする請求項１０に記載の方法。
【請求項１２】
前記再フレーミングされタギングされた同期したデータストリームの多重化を行うステップをさらに具備し、前記多重化には少なくとも、偏光多重化、副搬送波多重化、及び時分割多重化うちの少なくとも１つが含まれることを特徴とする請求項１０に記載の方法。
【請求項１３】
前記アンフレーミング及び同期化により、第１のセットの同期データストリーム及び第２のセットの同期データストリームを生成し、
前記再フレーミング及びタギングにより、前記第１のセットの同期データストリームから第１のセットの再フレーミングされタギングされた同期データストリームを作り、前記第２のセットの同期データストリームから第２のセットの再フレーミングされタギングされた同期データストリームを作り、
前記２Ｎレベルの光変調には、第１の高次変調信号を作るために前記第１のセットの前記再フレーミングされタギングされた同期したデータストリームに高次変調を行うステップと、第２の高次変調信号を作るために前記第２のセットの前記タギングされた同期したデータストリームに前記高次変調を行うステップとが含まれ、
前記多重化には、前記光受信器に伝送する前に、単一の多重化した光信号を生成するために、前記第１の高次変調信号及び前記第２の高次変調信号に偏光多重化を行うステップが含まれる、
ことを特徴とする請求項１２に記載の方法。
【請求項１４】
前記アンフレーミング及び同期化により、第１のセットの同期データストリーム及び第２のセットの同期データストリームを生成し、
前記再フレーミング及びタギングにより、第１のセットの同期データストリームから第１のセットの前記再フレーミングされタギングされた同期データストリームを作り、前記第２のセットの同期データストリームから第２のセットの前記再フレーミングされタギングされた同期したデータストリームを作り、
前記２Ｎレベルの光変調には、第１の高次変調信号を作るために前記第１のセットの前記再フレーミングされタギングされた同期したデータストリームに高次変調を行うステップと、第２の高次変調信号を作るために前記第２のセットの前記タギングされた同期したデータストリームに前記高次変調を行うステップとが含まれ、
前記多重化には、前記光受信器に伝送する前に、単一の多重化した光信号を生成するために、前記第１の高次変調信号及び前記第２の高次変調信号に前記副搬送波多重化を行うステップが含まれる、
ことを特徴とする請求項１２に記載の方法。
【請求項１５】
前記アンフレーミング及び同期化により、第１のセットの同期データストリーム及び第２のセットの同期データストリームを生成し、
前記再フレーミング及びタギングにより、前記第１のセットの同期データストリームから第１のセットの前記再フレーミングされタギングされた同期データストリームを作り、前記第２のセットの同期データストリームから第２のセットの前記再フレーミングされタギングされた同期したデータストリームを作り、
前記多重化には、第１の時分割多重化信号を生成するために前記第１の光変調した信号に第１の時分割多重化を行うステップと、第２の時分割多重化信号を生成するために前記第２の光変調した信号に第２の時分割多重化を行うステップとが含まれ、
前記２Ｎレベルの光変調には、前記第１の時分割多重化信号と前記第２の時分割多重化信号とに前記２Ｎ光変調を行うステップが含まれる、
ことを特徴とする請求項１２に記載の方法。
【請求項１６】
前記アンフレーミング及び同期化をおこなう前に、前記Ｎ個の非同期データストリームを光信号から電気信号に変換するステップをさらに具備することを特徴とする請求項１０に記載の方法。
【請求項１７】
前記光受信器に伝送する前に、他の１つ以上の光信号の前記高次変調信号に波長分割多重化を行うステップをさらに具備することを特徴とする請求項１０に記載の方法。
【請求項１８】
前記２Ｎレベルの光変調は、位相シフトキーイング又は矩形振幅変調を採用することを特徴とする請求項１０に記載の方法。
【請求項１９】
複数のＮ個の非同期データストリームからフレーミング情報を取り去ることによりアンフレーミングを行うため、及び前記非同期データストリームを同期化するための、少なくとも１つのモジュールと、
前記同期したデータストリームを再フレーミングするための、及び、前記同期したデータストリームをエンコードしたストリーム情報でタギングするための少なくとも１つのモジュールと、
タギングした同期したデータストリームを光受信器に伝送する前にタギングした同期したデータストリームの２Ｎレベルの光変調を行うことができる高次変調器と、
遠隔にある高次変調器からタギングした同期したデータストリームを受信し、受信したストリームのセットを出力するために前記受信したタギングした同期したデータストリームの復調及び検出のうちの少なくとも１つを行うことができる光受信器モジュールと、
前記受信したストリームのセットをデコードしてデコードしたストリームを生成することのできるデコーダと、
前記デコードしたストリームを再フレーミングするための少なくとも１つのモジュールと、
を具備する光トランシーバ。
【請求項２０】
前記デコードしたストリームを再フレーミングする前に、前記デコードしたストリームにタグによる識別及び再順序付けを行うための手段をさらに具備することを特徴とする請求項１９に記載の光トランシーバ。
【請求項２１】
前記受信したストリームのセットにおける伝送障害を除去するために前記受信したストリームのセットに信号調整を行うための手段をさらに具備することを特徴とする請求項１９に記載の光トランシーバ。
【請求項２２】
前記光受信器モジュールは、前記受信したタギングした同期したデータストリームから差動位相情報を抽出するために、バランスド光検出器で直接検出を行うことができることを特徴とする請求項１９に記載の光トランシーバ。
【請求項２３】
前記光受信器モジュールには、前記受信したタギングした同期したデータストリームから位相状態を抽出するために、コヒーレント検出を行うことができる１以上のローカル発振器が含まれることを特徴とする請求項１９に記載の光トランシーバ。
【発明の詳細な説明】
【技術分野】
【０００１】
（関連出願の相互参照）
この出願は、２０１１年４月１９日に出願された米国出願番号１３／０８９,４３７、表題「高次変調を用いた複数の非同期データストリームの伝達（Transport  Of  Multiple  Asynchronous  Data  s  Using  Higher  Order  Modulation）」を継続するものであり、この開示内容を本出願にすべて組み込むものとする。
【背景技術】
【０００２】
１．本発明の技術分野
本発明は一般に光伝達システムに関する。さらに詳細には、本発明の特徴は、高次変調を用いて光伝達システムを介した複数の非同期データストリームの伝達に関するものである。
２．先行技術
多くの既存のネットワーキングのシナリオは、利用可能な光ファイバスペクトルの使用を最適化する方法で、大都市圏又は地方のネットワークを横断するような、さまざまな地理的領域へ、ルーター又はスイッチから多くのデータストリームを伝達することを必要とする。入力されるデータストリームは、異なる独立の信号源からくるので、一般的に非同期で、概して位相外れとなっていて、＋／−１００ｐｐｍ以内のクロックレートとなっている。
【０００３】
いくつかの解決手段としては、低速サービスを同期させて高速データ転送速度で伝送する、例えば、同期光ネットワーク（ＳＯＮＥＴ）／同期ディジタルハイアラーキ（ＳＤＨ）又は光伝達ネットワーク（ＯＴＮ）ハイアラーキを用いる、時分割多重化（ＴＤＭ）を採用する。他の解決手段としては、異なる入力データストリームを異なる波長にマッピングし、多重化して単一ファイバに送る波長分割多重化（ＷＤＭ）を採用する。
【０００４】
ＴＤＭにおいて、入力非同期データストリームは、伝達コンテナにマッピングされ、ＴＤＭは多重化されて高速コンテナを作る。この高速コンテナ（ストリーム）は、単純なオンオフキーイングから位相及び偏光に基づく高次変調までの種々の光変調技術を用いて伝送される。しかし、ＴＤＭは、最速の電子的な伝送、受信、チャンネル障害、及び利用可能な処理技術による制限を受ける。従って、ＴＤＭのみの伝達における重大な欠陥には、コスト、複雑さ、及びＴＤＭ多重化ステージ及びそれに続く逆シリアル化のための負荷電力消費が含まれる。一般に、ＴＤＭ集合体によるアプローチでは、高速とすることによる光学的及びエレクトロニクス的コスト高のみならず、付加的な多重化／分離化による複雑さを引き起こすことがある。
【０００５】
一方、従来のＷＤＭ技術（高密度ＷＤＭ「ＤＷＤＭ」を含む）をこれらの低速非同期伝達に用いる場合、スペクトル効率は非常に低くなる。従って、光ファイバの全伝送容量を用いることができない可能性がある。
【発明の概要】
【０００６】
本発明の特徴は、ＴＤＭアプローチに伴う高速とすることによる光学的及びエレクトロニクス的コスト高と複雑さ、及び低速信号アプローチによるＷＤＭのスペクトル的非効率性の問題に対処するものである。ここに説明するように、スペクトル的に高効率な高速ビットレートとすることができるとともに、光学的及びエレクトロニクス的に低コストとなる低速ボーレートを保持することが可能である。
【０００７】
本発明の実施の形態では、光伝達システムにおいて複数のデータストリームを伝達するためにシンボル毎の複数ビットを実現する位相変調及び／又は振幅変調のような、高次変調を提供する。時分割多重化、偏光多重化、及び副搬送波多重化のような付加的多重化技術は、この高次変調と合わせて用いることができる。これは、スペクトル的に高効率なマルチデータストリーム伝達メカニズムを実現させるために、様々に組み合わせることができる。
【０００８】
１つの実施の形態によれば、光伝送システムは、複数のＮ個の非同期データストリームからフレーミング情報を除去することによりアンフレーミングを実行するため、及び非同期データストリームを同期化するための少なくとも１つのモジュールを具備する。このシステムはまた、同期したデータストリームの再フレーミングのため、及びエンコードしたストリーム情報で同期したデータストリームをタギングするための少なくとも１つのモジュールを具備する。またこのシステムは、タギングした同期したデータストリームの光受信器への伝送に先立ち、タギングした同期したデータストリームを２Ｎレベルで光変調することができる高次変調器を具備する。
【０００９】
１つの実施例として、このシステムは、少なくとも１つの再フレーミング及びタギングモジュールから同期したデータストリームを受信するための差動エンコーダをさらに具備する。この差動エンコーダは、高次変調器が２Ｎレベルで光変調することに先立ち、同期したデータストリームに関する信号の位相と振幅のうちの少なくとも１つをエンコードするための動作が可能である。
【００１０】
他の実施例として、システムは、タギングした同期したデータストリームの偏光多重化、副搬送波多重化、及び時分割多重化のうちの少なくとも１つを行うマルチプレクサをさらに具備する。
【００１１】
１つの選択肢として、アンフレーミングモジュール及び同期化モジュールのうちの少なくとも１つは、第１のセットの非同期データストリームを操作して第１のセットの同期データストリームを作るための、第１のセットのアンフレーミングモジュール及び同期化モジュールと、第２のセットの非同期データストリームを操作して第２のセットの同期データストリームを作るための、第２のセットのアンフレーミングモジュール及び同期化モジュールとを具備する。ここで、再フレーミングモジュール及びタギングモジュールのうちの少なくとも１つは、第１のセットの同期データストリームのうちの対応するものを操作して第１のセットのタギングした同期データストリームを作るための、第１のセットの再フレーミングモジュール及びタギングモジュールと、第２のセットの同期したデータストリームのうちの対応するものを操作して第２のセットのタギングした同期データストリームを作るための、第２のセットの再フレーミングモジュール及びタギングモジュールとを具備する。高次変調器は、第１のセットのタギングした同期したデータストリームに２Ｎレベルの光変調を行うことにより第１の光変調した信号を作るための第１の高次変調器と、第２のセットのタギングした同期したデータストリームに２Ｎレベルの光変調を行うことにより第２の光変調した信号を作るための第２の高次変調器とを具備する。マルチプレクサは、第１の光変調した信号及び第２の光変調した信号を受信し、偏光多重化を行い、光受信器への伝送に先立って単一の多重化した光信号を生成する操作が可能である。
【００１２】
他の１つの選択肢として、アンフレーミングモジュール及び同期化モジュールのうちの少なくとも１つは、第１のセットの非同期データストリームを操作して第１のセットの同期データストリーム作るための第１のセットのアンフレーミングモジュール及び同期化モジュールと、第２のセットの非同期データストリームを操作して第２のセットの同期データストリーム作るための第２のセットのアンフレーミングモジュール及び同期化モジュールとを具備する。ここで、少なくとも１つの再フレーミングモジュール及びタギングモジュールは、第１のセットの同期データストリームのうちの対応するものを操作して、第１のセットのタギングした同期データストリームを作るための、第１のセットの再フレーミングモジュール及びタギングモジュールと、第２のセットの同期したデータストリームのうちの対応するものを操作して、第２のセットのタギングした同期したデータストリームを作るための、第２のセットの再フレーミングモジュール及びタギングモジュールとを具備する。高次変調器は、第１のセットのタギングした同期したデータストリームに２Ｎレベルの光変調を行って第１の光変調した信号を作る第１の高次変調器と、第２のセットのタギングした同期したデータストリームに２Ｎレベルの光変調を行って第２の光変調した信号を作る第２の高次変調器とを具備する。マルチプレクサは、第１の光変調した信号と第２の光変調した信号とを受け取り、副搬送波多重化を行って、光受信器への伝送に先立って単一の多重化した光信号を生成する操作が可能である。
【００１３】
さらなる選択肢として、少なくとも１つのアンフレーミングモジュール及び同期化モジュールは、複数のアンフレーミングモジュール及び同期化モジュールを具備し、複数のアンフレーミングモジュール及び同期化モジュールの各々は、対応するセットの非同期データストリームを操作して、対応するセットの同期データストリーム作るよう構成されている。少なくとも１つの再フレーミングモジュール及びタギングモジュールは、複数の再フレーミングモジュール及びタギングモジュールを具備する。複数の再フレーミングモジュール及びタギングモジュールの各々は、同期データストリームのうちの対応する１つを操作して対応するタギングした同期データストリームを作るよう構成されている。ここで、マルチプレクサは、複数の時分割マルチプレクサを具備する。時分割マルチプレクサの各々は、タギングした同期データストリームのセットを多重化し、時分割多重化信号を生成する。高次変調器は、複数の時分割マルチプレクサから時分割多重化信号を受け取り、２Ｎレベルの光変調を行うことが可能である。
【００１４】
他の実施例として、システムは、少なくとも１つのモジュールが非同期データストリームにアンフレーミング及び同期化を行うことに先立ち、Ｎ個の非同期データストリームを変換して、光信号から電気信号に変換する複数の光電変換器をさらに具備する。さらなる実施例として、システムは、光受信器への伝送に先立ち、１以上の他の光信号を持つ高次変調器からの信号を多重化するための波長分割マルチプレクサをさらに具備する。またさらなる実施例として、高次変調器は、位相シフトキーイング又は矩形振幅変調を用いて２Ｎレベルの光変調を行うことが可能である。
【００１５】
他の実施の形態によれば、データの光伝送方法は、複数のＮ個の非同期データストリームを受信するステップと、複数のＮ個の非同期データストリームの各々にアンフレーミングを行うステップと、複数のＮ個の非同期データストリームを同期化するステップと、データストリームの１以上の特定の１つを特定するためのタグを有する構造化された伝送フレームにデータをマッピングするために同期したデータストリームを再フレーミング及びタギングするステップと、再フレーミングしタギングし同期したデータストリームに２Ｎレベルの光変調を行い、光受信器に伝送するよう構成した高次変調信号を作るステップと、を具備する。
【００１６】
１つの実施例として、この方法は、２Ｎレベルの光変調を行う前に、同期したデータストリームに結び付けて信号の位相及び振幅のうちの少なくとも１つで、同期したデータストリームに差動エンコーディングを行うステップをさらに具備する。
【００１７】
他の実施例として、この方法は、再フレーミングされタギングされた同期したデータストリームの多重化を行うステップをさらに具備する。ここで、多重化には少なくとも、偏光多重化、副搬送波多重化、及び時分割多重化うちの少なくとも１つが含まれる。
【００１８】
１つの選択肢として、アンフレーミング及び同期化により、第１のセットの同期データストリーム及び第２のセットの同期データストリームを生成する。再フレーミング及びタギングにより、第１のセットの同期データストリームから第１のセットの、再フレーミングされタギングされた同期データストリームを作り、第２のセットの同期データストリームから第２のセットの、再フレーミングされタギングされた同期データストリームを作る。２Ｎレベルの光変調には、第１の高次変調信号を作るために第１のセットの、再フレーミングされタギングされた同期したデータストリームに高次変調を行うステップと、第２の高次変調信号を作るために第２のセットのタギングされた同期したデータストリームに高次変調を行うステップとが含まれる。そして、多重化には、光受信器に伝送する前に、単一の多重化した光信号を生成するために、第１の高次変調信号及び第２の高次変調信号に偏光多重化を行うステップが含まれる。
【００１９】
他の１つの選択肢として、アンフレーミング及び同期化により、第１のセットの同期データストリーム及び第２のセットの同期データストリームを生成する。再フレーミング及びタギングにより、第１のセットの同期データストリームから第１のセットの、再フレーミングされタギングされた同期データストリームを作り、第２のセットの同期データストリームから第２のセットの、再フレーミングされタギングされた同期したデータストリームを作る。２Ｎレベルの光変調には、第１の高次変調信号を作るために第１のセットの、再フレーミングされタギングされた同期したデータストリームに高次変調を行うステップと、第２の高次変調信号を作るために第２のセットのタギングされた同期したデータストリームに高次変調を行うステップとが含まれる。そして、多重化には、光受信器に伝送する前に、単一の多重化した光信号を生成するために、第１の高次変調信号及び第２の高次変調信号に副搬送波多重化を行うステップが含まれる。
【００２０】
さらなる選択肢として、アンフレーミング及び同期化により、第１のセットの同期データストリーム及び第２のセットの同期データストリームを生成する。再フレーミング及びタギングにより、第１のセットの同期データストリームから第１のセットの、再フレーミングされタギングされた同期データストリームを作り、第２のセットの同期データストリームから第２のセットの、再フレーミングされタギングされた同期したデータストリームを作る。多重化には、第１の時分割多重化信号を生成するために第１の光変調した信号に第１の時分割多重化を行うステップと、第２の時分割多重化信号を生成するために第２の光変調した信号に第２の時分割多重化を行うステップとが含まれる。そして、２Ｎレベルの光変調には、第１の時分割多重化信号と第２の時分割多重化信号とに２Ｎ光変調を行うステップが含まれる。
【００２１】
他の実施例として、この方法はさらに、アンフレーミング及び同期化をおこなう前に、Ｎ個の非同期データストリームを光信号から電気信号に変換するステップを具備する。さらに他の実施例として、この方法はさらに、光受信器に伝送する前に、他の１つ以上の光信号の高次変調信号に波長分割多重化を行うステップを具備する。そして他の実施例として、２Ｎレベルの光変調は、位相シフトキーイング又は矩形振幅変調を採用する。
【００２２】
さらなる実施の形態として、光トランシーバは、複数のＮ個の非同期データストリームからフレーミング情報を取り去ることによりアンフレーミングを行うため、及び非同期データストリームを同期化するための、少なくとも１つのモジュールを具備する。またこのトランシーバは、同期したデータストリームを再フレーミングし、エンコードしたストリーム情報で同期したデータストリームをタギングするための少なくとも１つのモジュールと、タギングした同期したデータストリームを光受信器に伝送する前にタギングした同期したデータストリームの２Ｎレベルの光変調を行うことができる高次変調器とを具備する。このトランシーバはさらに、遠隔にある高次変調器からタギングした同期したデータストリームを受信し、受信したストリームのセットを出力するために受信したタギングした同期したデータストリームの復調及び検出のうちの少なくとも１つを行うことができる光受信器モジュールと、受信したストリームのセットをデコードしてデコードしたストリームを生成することのできるデコーダと、デコードしたストリームを再フレーミングするための少なくとも１つのモジュールとを具備する。
【００２３】
１つの実施例として、この光トランシーバはさらに、デコードしたストリームを再フレーミングする前に、デコードしたストリームにタグによる識別及び再順序付けを行うための手段を具備する。他の実施例として、この光トランシーバはさらに、受信したストリームのセットにおける伝送障害を除去するために受信したストリームのセットに信号調整を行うための手段を具備する。さらに他の実施例として、この光受信器モジュールは、受信したタギングした同期したデータストリームから差動位相情報を抽出するために、バランスド光検出器で直接検出を行うことができる。そして、他の実施例として、光受信器モジュールには、受信したタギングした同期したデータストリームから位相状態を抽出するために、コヒーレント検出を行うことができる１以上のローカル発振器が含まれる。
【図面の簡単な説明】
【００２４】
【図１】本発明の特徴による、典型的な光トランシーバ構造を図解したものである。
【図２】本発明の特徴による、複数の非同期データストリームから同期ストリームへの変換を図解したものである。
【図３】本発明の特徴による、高次変調を伴う偏光多重化及び副搬送波多重化の使用を図解したものである。
【図４】本発明の特徴による、高次変調を伴う時分割多重化を図解したものである。
【図５Ａ】本発明の特徴による、典型的な高次変調の使用時のコンステレーションを図解したものである。
【図５Ｂ】本発明の特徴による、典型的な高次変調の使用時のコンステレーションを図解したものである。
【図６】本発明の特徴による、埋め込まれたタグを用いてフレームを特定する１つの方法を図解したものである。
【図７】本発明の特徴による、埋め込まれたタグを用いてフレームを特定する第２の方法を図解したものである。
【図８】本発明の特徴による、１６−ＱＡＭ高次変調を用いたシステムを図解したものである。
【図９】本発明の特徴による、典型的な矩形１６−ＱＡＭ伝送器構成を図解したものである。
【図１０】本発明の特徴による、典型的な星形１６−ＱＡＭ伝送器構成を図解したものである。
【図１１】本発明の特徴による、典型的な伝送器及び受信器の動作を図解したものである。
【発明を実施するための形態】
【００２５】
本発明の特徴、特性、及び利点は、以下の実施の形態の説明及び添付図を参照して考慮することで理解できる。異なる図面において同じ参照番号を使った場合は、同じか又は類似の構成要素を特定する。さらに、以下の説明は本発明を限定するものではなく、本発明の技術範囲は添付請求項及びその均等範囲により定義される。
【００２６】
ここに提示する通り、本発明の実施の形態による光システムはシンボル毎に複数のビットを伝送するために高次変調を用いる。このシステムは、受信器でデータストリームを復元するためにデータストリーム識別子を伴う差動エンコーディングを採用する。以下に詳述するように、バランスド受信器を用いる直接検出又は光ローカル発振器を用いるコヒーレント検出のどちらも受信器で用いることができる。
【００２７】
図１は、本発明の特徴による光トランシーバシステム１００を図解したブロック図である。システム１００は、入力側に複数の低速クライアント信号、及び、出力側にＤＷＤＭ波長の１つの高速信号を採用する。この実施の形態に示すように、複数のＮ個の非同期データストリームがシステム１００に入力される。例えば、各ストリームが、Ｒギガビット／秒の所定のデータ転送速度、一般的には＋／−１００ｐｐｍの差異に収まるような、Ｎ個のデータストリームはそれぞれほんの少しだけ異なるデータ転送速とすることができる。このＮ個のストリームはペイロードレベルのアンフレーミングモジュール１０２を通過して同期化ブロック１０４で同期化される。アンフレーミングモジュール１０２はインフィニバンド、イーサネット、又はＳＯＮＥＴフレーミングを除去する。データストリームは、同期化ブロック１０４で整列させられる。同期化を採用する伝送シナリオのために、同期化ブロック１０４は、すべてのストリームを、すべての伝送が同じデータ転送速度で行われるような、同じ参照クロックで再時間設定することができる。アンフレーミング及び同期化は、同じ装置又は違う装置で別々に又は同時に行うことができる。アンフレーミングモジュール１０２１〜１０２Ｎで受け取られる前に、データストリームは、変換器モジュール１０５１〜１０５Ｎにより光信号から電気信号に変換することができる。これらの変換器モジュール１０５は、入力ストリームが光信号の代わりに電気信号として受け取られる場合は省略することができる。
【００２８】
同時に、ストリームは、１以上のフレーミングモジュール１０６で再フレーミングされ、ストリームのデータを復元させるためにブロック１０８でタギングされる。フレーミングモジュール１０６では、ヘッダー又はマーカーのような情報をストリームに付加し、タギングブロック１０８では、ストリーム情報をエンコードする。再フレーミング及びタギングは、同じ装置又は異なる装置で別々に又は同時に行うことができる。フレーミングセクション及びタギングセクションでは、入力クライアントデータを構造化された固定サイズの伝送フレームにマッピングする機能及びヘッダー情報の付加を行う。このヘッダー情報の一部として、タグが特定のクライアントストリームを識別するために付加される。このタグは、受信器の場所でクライアントストリームを復元するために用いられる。
【００２９】
次にストリームは、信号位相及び／又は振幅をエンコードする差動エンコーダ１１０に送られることが好ましい。受信器でデータストリームの復元が可能となるように、データストリーム識別子を用いて差動エンコーディングを行うことが好ましい。データストリーム識別子は、例えば、１００又は１０１１のような、簡単な３ビット又は４ビットのバイナリコードとすることができる。差動エンコーディングを行った信号は、次に、光変調器複合体１１２に送られる。ここで、例えば、ｎレベルの変調信号にグレイコーディングを用いることにより、個々のストリームデータが複数のコンストレーションポイントにマッピングされる。これらのコンストレーション（振幅変調及び位相変調の組み合わせを表す）の各々は、持続波（ＣＷ)レーザ１１４により生成された搬送波に変調され、これらの変調された光信号の複数のインスタンスは、光ファイバケーブルを介してＤＷＤＭ波長で伝送させるために一緒に多重化される。
【００３０】
１つの実施例として、高次変調は１６ＱＡＭを用いて４ビット／シンボルを伝送する。この例では、シンボル（ボー）レートは、４０Ｇｂ／ｓのビットレートで１０Ｇｂ／ｓとすることができる。これにより、単一のＷＤＭ波長で、５０ＧＨｚの波長グリッドを用いて４つの１０Ｇｂ／ｓデータストリームの伝送ができる。従って、このシステムは、高いスペクトル効率の高速ビットレートを可能とする一方、低速ボーレートを維持することができる。以下の説明する他の例では、高次変調を１以上の付加的な変調スキームと組み合わせて用いることができる。これらには、偏光多重化、副搬送波多重化、及び中間ＴＤＭ多重化が含まれる。
【００３１】
図１に示す受信器で、ＤＷＤＭ信号は、復調器及び／又は検出器として機能する光受信器モジュール１１６に入力される。１つの実施例として、受信器モジュール１１６は、差動位相情報を抽出するためにバランスド光検出器で直接検出を行うことができる。他の実施例として、受信器モジュール１１６は、位相状態を抽出するために光ハイブリッドで現場発振器ベースの同期検出を採用することができる。モジュール１１６は、ディジタル信号プロセッサ（ＤＳＰ）による終端処理と共に、又はこの終端処理なしで、信号をきれいにするために用いることができる。
【００３２】
シグナルコンディショナ１１８をシステム１００の一部として含めることができる。これを含める場合は、シグナルコンディショナ１１８は分散のような伝送障害を除去するために用いられ、信号がファイバを横断してしまった後の障害を補償する。シグナルコンディショナ１１８には、例えば有限インパルス応答（ＦＩＲ）フィルター又は最尤推定量（ＭＬＳＥ）を用いる、色分散の補償、位相及び偏光の復元を含めることが望ましい。これは、既知の適応等化アルゴリズムを用いて実行される。結果として生じたストリームはデコーダ１２０によりデコードされる。再フレーミングは、個々の再フレーミングモジュール１２２１〜１２２Ｎにより行われる。このとき、識別及び／又は再順序付けはブロック１２４で実行される。タグ識別及び再順序付け（必要であれば）は、再フレーミング処理が行われる前に実行することができる。再フレーミング、タギング、及び再順序付けは、同じ装置又は異なる装置で別々に又は同時に行うことができる。次いで、電気・光変換器モジュール１２６１〜１２６Ｎは、下流の機器（不図示）に送られる信号をＮ個の光データストリームに変換するために用いることができる。代替的に、電気信号が下流のシステムに送られる時は、光変換器モジュール１２６を省略することができる。
【００３３】
上記説明に従い、図２は、複数の非同期データストリーム２０２１〜２０２Ｎを高次変調を伴う光信号として伝達するための典型的なシステム２００を図解したものである。図は、光ファイバを介して伝送する前に複数の変調された信号（Ｎストリーム）の波長多重化を示す。非同期クロック領域と同期クロック領域との分離は、ＰＨＹレイヤフレーム及び／又はＭＡＣレイヤフレームへの非同期データストリームの再マッピング（例えば、ブロック２０４１〜２０４Ｎに示したアンフレーミング）を行うことにより実行され、次いで、同期参照信号として共通の参照クロック２０８を用いて、同期して再フレーミング（例えば、ブロック２０６１〜２０６Ｎで示したようなフレーミング及びタギング）が実行される。
【００３４】
次に、例えば、図１の変調器複合体１１２に関して説明したように、同期データストリームは、ブロック２１０にて複数レベル変調により変調される。Ｎ個の同期ビットストリームについて、２Ｎシンボル変調スキームは、その後、２Ｎのシンボル変調されたストリームにマッピングされるＮビットシンボルの１つとして同期ストリームの各々を扱うことができるように、用いられる。これらの変調されたストリームは、波長領域でさらなる多重化を行うためにあらかじめ定めたキャリア波長で運ぶことができる。付加的な多重化された光信号は、ブロック２１２に示すように、伝送する前にＷＤＭ多重化信号に付加することができる。逆の処理が、受け取られた信号に用いられ非同期データストリーム２０２１〜２０２Ｎが得られる。
【００３５】
上述のように、付加的な変調スキームを高次変調とともに採用することができる。図３は、高次変調を第２の直交多重化方法（例えば、偏光多重化又は副搬送波多重化）と結合させる、典型的な構成３００を提供する。この実施の形態において、偏光多重化又は副搬送波多重化のクロック領域は完全に独立させることができる。例えば、それぞれブロック３０２１及び３０２２で処理される２つのセットのストリーム（１１から１Ｎ及び２１から２Ｎ）があることが示されている。アンフレーミング処理が完了すると、上部セットのストリーム（１１〜１Ｎ）が第１の共通クロック３０４１を有し、下部セットのストリーム（２１〜２Ｎ）が第２の共通クロック３０４２を有することとなる。第１の共通クロックと第２の共通クロックとはお互いに独立していることが望ましい。例えば、クロックは、ラインごとのカードに基づいて選択することができる。各ラインカードは一般的に１つまたは２つの波長を意味する。
【００３６】
図３に示すストリームセットの伝送及び受信処理は、以下に説明するさらなる多重化を条件として、図１及び２について上述したように進めることができる。伝送側では、図２のブロック２１０及び図１光変調器複合体１１２の機能を持つ、それぞれ光変調器複合体３０６１及び３０６２により、一旦別々のストリームセット（１１〜１Ｎ及び２１から２Ｎまで）が処理されると、これらは、例えば偏光多重化や副搬送波多重化により、ブロック３０８でまとめて多重化される。偏光多重化は、偏光ビームコンバイナ（ＰＢＣ）を用いて行うことができる。副搬送波多重化は、副搬送波の櫛形部（ＤＷＤＭグリッドよりはるかにスペースが狭い）が、直列に繋げた変調器及びＲＦを用いて多重化され、ＲＦから光へ変換してレーザ源を変調する、ＦＰＧＡまたはＡＳＩＣ又は他の機構により行うことができる。ブロック３０８から結果として生じる出力は、多重化された光信号であり、続いて、ＷＤＭマルチプレクサ３１０に送られる。ここで、ＷＤＭマルチプレクサ２１２と同様に、付加的な多重光信号を追加することができ、結果として生じる光ストリームは、光ケーブル（不図示）を介して伝送可能となる。受信側では、逆の処理が行われ、光ケーブルからの入力がＷＤＭ多重分離され、付加的な多重光信号を偏光分離化又は副搬送波分離化の前に除去する。
【００３７】
この実施の形態における副搬送波多重化は、協同搬送又は多重搬送を採用することができる。副搬送波変調と共に、追加の伝送器及び受信器が用いられるが、合成光スペクトルを単一のＩＴＵグリッドウインドウを通して伝送することができ、さらにスペクトル的に効率化することができる。サポートしているデータストリームの全数は、副搬送波の数（例えば、２）と等しい数だけ増加する。
【００３８】
図４は、高次変調と中間ＴＤＭ多重化ステージとの組み合わせを含む典型的なシステム４００を示す。この実施の形態において、ＴＤＭステージでは、共通クロックを用いて２つの入力ストリームを同期して多重化する。図示の通り、システム４００は、図２のシステム２００と同様と構成となる。ここで、非同期ストリーム４０２１，４０２２，・・・，４０２Ｎは、共通のローカルクロック４０８からのタイミングを用いて、アンフレーミングモジュール４０４及びフレーミング／タギングモジュール４０６により処理され、対応する同期ストリームのペアとなる。ブロック４１０で、多重レベル変調で変調する前に、各同期ストリームのペアは、多重化信号を生成するためのそれぞれのブロック４１２で時分割多重化が行われる。
【００３９】
中間的なＴＤＭ多重化ステージ（ブロック４１２１〜４１２Ｎ）では、多くの入力データストリームをサポートすることが可能なように、データ転送速度を増大させる。例えば、高次変調を用いるだけで、シンボル速度Ｒをもつ２Ｎの大きさのコンストレーションがそれぞれＲのデータ転送速度で動作するＮ個のストリームをサポートする。中間的なＴＤＭステージをこの実施の形態で用いることにより、出力信号のシンボル速度がＲ＊Ｔに増加する。ここで、Ｔは、中間的なＴＤＭステージで多重化されたデータストリームの数であり、サポートされるデータストリームの総数はＮ＊Ｔとなる。同等に（又は代替的に）、中間的なステージをコンストレーションの大きさに減少させる。本例では、データストリームは、ブロック４１２にて、一緒にＴＤＭ多重化されるが、追加のストリームを追加することもできる。例えば、４以上のストリームを一緒に多重化することができる。そして、ＷＤＭマルチプレクサ２１２に関して上述したように、追加の多重化光信号を、結果として生じる光ストリームを伝送する前に、ＷＤＭマルチプレクサ４１４で追加することができる。
【００４０】
いくつかの異なる構成について説明したが、ここでのどの様な特性の組み合わせも高次変調と共に採用することができる。１つの実施例として、システムには、高次変調と併せて、偏光多重化、副搬送波多重化、及びＴＤＭ多重化のいずれか又はすべてを含めることができる。加えて、このような処理により形成された複数のストリームは、波長分割多重化を用いて結合することができる。
【００４１】
上記した種々の組み合わせのために、ある方法では同期化が必要である一方、他の方法では同期化は必要ではない。本発明は、同期マッピング法又は非同期マッピング法のどのような方法の組み合わせでも用いることができる。以下の表１は、種々の多重化法及び個々のストリームを同期化する必要あるかどうかの識別子を示す。
0005843336.tif 000002
表１多重化法及び同期化
本発明の１つの特徴によれば、高次変調に用いるコンストレーションの形式は、あらゆる形状が可能であるのみならず、位相及び振幅のあらゆる組み合わせとすることが可能である。典型的なコンストレーションには、位相のみの変調についてＱＰＳＫまたは８−ＰＳＫが含まれ、位相及び振幅変調について１６−ＱＡＭが含まれる。コンストレーションの形状の変形例として、星形コンストレーション又は矩形コンストレーションがある。図５Ａ及び５Ｂには、１６−ＱＡＭコンストレーションの２つの形式が図解されており、図５Ａは星形コンストレーション、そして図５Ｂは矩形コンストレーションを示している。当然のことながらｘ軸及びｙ軸は伝送中の位相の回転により回転することができる。タギングをこれに対処するために用いることができ、受信器は、タグ情報をどのストリームをエンコードするのかを決めるために用いる。タギングについて、以下に詳述する。
【００４２】
コンストレーションの大きさは任意とすることができ、入力データストリームのリンクアグリゲーション（ＬＡＧ）の大きさに依存させることができる。例えば、（４ビット／シンボルの）１６−ＱＡＭを、４０Ｇｂ／ｓで動作している変調信号に対してそれぞれ１０ｂ／ｓで走る、４つのデータストリームを伝達するために用いることができる。同様に、（８ビット／シンボルの）２５６−ＱＡＭを、８０Ｇｂ／ｓで動作している変調信号に対してそれぞれ１０ｂ／ｓで走る、８つのデータストリームに用いることができる。
【００４３】
伝送側での上述の変調スキームは、伝送リンクを完成させるために受信器で等価な復調／分離化と結合される。上述の高次変調を採用する主要な方法で、受信器回路は、現場発振器なしでの直接検出又は現場発振器を有するコヒーレント検出のどちらでも採用することができる。種々の可能性を以下に説明する。
【００４４】
１つの選択肢では、ブロックを処理する信号なしで直接検出する。１つの実施の形態において、これは、ブロックを処理する付加的な信号なしで適切な光性能が可能となるので、コスト及び電源効率面から好ましい実施形態である。このアプローチでは、現場発振器を用いない。その代わり、相対位相状態を復元し、これにより位相状態の差分エンコードされた信号を抽出するために直接検出を採用する。例えば、バランスド光検出器を、差分位相情報を抽出するために用いることができる。
【００４５】
他の選択肢では、信号処理ブロックを用いて直接検出する。ここで、ブロックを処理するバックエンド信号を、位相復元、波長分散及び偏光分散の補償、及び非線形効果と偏光ノイズの部分的浄化のために用いる。この信号処理ブロックは、アナログブロックとしてでもディジタルブロックとしてでも実施することができる。ディジタル信号処理ブロックは、アナログ／ディジタル（Ａ／Ｄ）を伴う。
【００４６】
第３の選択肢では、信号処理ブロックを有する現場発振器を用いる。この場合、現場発振器は、ホモダイン技術又はヘテロダイン技術を用いて９０度ハイブリッド複合体を介して現場発振器を入力信号と結合させることにより入力信号のコヒーレント検出を可能にする。このような抽出された状態は、信号浄化のためにＤＳＰバックエンドのような信号処理ブロックを用いて後処理することができる。
【００４７】
上述のように、タギングは、図１に示すように、アンフレーミングの後行われる。本発明の１つの特徴によれば、データストリームを識別し受信器で復元するために、一意的なビットシーケンスを１つ又はすべてのデータストリームにタギングするために方法が用いられる。システムが絶対位相復元ではなく相対位相復元を行う好ましい実施例において、タギングのこの方法を、復元したデータストリームを特定するために用いる。変調スキームに応じて、データストリームの識別及び復元を可能とするために、１つ以上の（データストリームの最大数までの）データストリームにタギングする。
【００４８】
図６は、伝送中にデータストリームの相対位相が保存される場合、チャンネルに埋め込まれたタグを用いてフレームを特定する１つの方法を図解したものである。このシナリオにおいて、１つのデータストリームの特定は、データストリームが相互に固定された既知の関係を有しているので、残りのデータストリームを特定し抽出するためには十分である。識別タグを組み込む１つの方法は、フレームのプレアンブルに一意的なビットシーケンスを用いることである。高次変調を用いるすべてのデータストリームはフレーム同期されており、すべてのデータストリームはこの方法を用いて特定することができる。
【００４９】
高次変調アプローチ（例えば、偏光多重化、副搬送波多重化、及び中間的なＴＤＭ多重化）と結びつく他の例として、個々のデータストリーム同士の関係が知られており、従って、個々のデータストリーム同士の関係を保存することができるとき、上述と同じタギング手順を用いてデータストリームを復元し、適切に特定することができる。多重化スキーム毎にさらにタグを付加する必要はない。
【００５０】
図７は、チャンネルに埋め込まれたタグを用いてフレームを特定する代替的な方法を図解したものである。ここで、データストリームの相対位相は伝送中に保存されない。このシナリオにおいて、データストリームは相互に固定された既知の関係を有していないので残りのデータストリームを特定し抽出するために、（変調スキームに応じて１とＮとの間の）すべて又は１以上のデータストリームを特定することが必要となる。
【００５１】
上述したように、ここに示した違った構成に違った高次変調技術を採用することができる。図２に示した全体的な構成を有する、１６−ＱＡＭ変調を用いる４つの非同期データストリームを多重化する具体例を図解したものである。そして、図９は、１６−ＱＡＭ矩形コンストレーションの伝送器実施形態９００の一例を示す。ここで、４つのエンコードされたデータストリーム９０２１〜９０２４はそれぞれ、Ａ、Ｂ、Ｃ、及びＤのように表わされている。レーザ９０４からのビームはスプリットされ変調器（Ｍ）９０６１〜９０６４に送られる。１つの実施例として、変調器９０６は、マッハツェンダ変調器（ＭＺＭ）である。図示の通り、レーザ信号の下側の分岐は減衰器９０８により、又は低いスプリット比を持つスプリッタにより、減衰される。この場合、下側の分岐は位相変調及び振幅変調の組み合わせとなるので、下側の分岐が減衰される。マッハツェンダ変調器により位相変調が行われ、減衰器により必要な振幅減衰が行われる。このことは、４つの点が上側の「十字」図の４つの点より小さな振幅を持つように示された下側の「十字」図により示されている。
【００５２】
変調器９０６１及び９０６１から出力される信号は位相（Ｉ）にある一方、変調器９０６２及び９０６４から出力される信号は９０度（Ｑｕａｄｒａｔｕｒｅ）だけシフトされている（Ｑ）。図示の通り、上側の分岐からのＩ及びＱ成分は第１のコンストレーションを有し、下側の分岐からのＩ及びＱ成分は第２のコンストレーションを有し、結果として生じるコンストレーションは矩形１６−ＱＡＭとなる。
【００５３】
図１０は、１６−ＱＡＭ星形コンストレーションの伝送器実施例１０００の実施形態の一例を示す。ここで、４つのエンコードされたデータストリーム１００２１〜１００２４は、それぞれ、Ａ、Ｂ、Ｃ、及びＤのように示されている。レーザ１００４からのビームはスプリットされ４つの変調器（Ｍ）１００６１〜１００６４へ送られる。１つの実施例として、変調器１００６は、マッハツェンダ変調器である。結果として生じるコンストレーションは、図示の通り１６−ＱＡＭ星形となる。
【００５４】
図１１は、典型的なシステムレベルアプリケーション１１００を示す。伝送器側１１０２において、低速データストリームのグループは、高次変調を用いて単一のＤＷＤＭ波長にマッピングされる。受信器側１１０４では、入力した高次変調信号はフレーム除去（ｄｅ−ｆｒａｍｅｄ）され低速データストリームのグループに入る。
【００５５】
本発明は特定の実施の形態を参照して記載したが、当然のことながらこれらの実施の形態は、本発明の原理及び応用例を単に示しただけのものである。従って、当然のことながら、添付特許請求の範囲で定義した本発明の精神及び技術的範囲から離れることなく、図示した実施の形態に対して多くの変更を加えることができ、他の構成を修正することもできる。
【産業上の利用可能性】
【００５６】
本発明は、さらに高次の変調技術を採用する光通信システムを含み、そしてこれに限定されない、広い産業上の利用可能性を有する。
【図１】
0005843336.tif 000003
【図２】
0005843336.tif 000004
【図３】
0005843336.tif 000005
【図４】
0005843336.tif 000006
【図５】
0005843336.tif 000007
【図６】
0005843336.tif 000008
【図７】
0005843336.tif 000009
【図８】
0005843336.tif 000010
【図９】
0005843336.tif 000011
【図１０】
0005843336.tif 000012
【図１１】
0005843336.tif 000013